(57)【要約】【課題】  密閉ケースの内部に主要部が収納されたユニット型の装置などに設けることができ、ロールペーパーを容易に、且つ確実に引き出せる。【解決手段】  ロールペーパー２を保持しているホルダー部３と、上部ガイド板７と下部ガイド板８とが互いの面を向かい合わせて上下に並んで配置されるとともに所定間隔あけて配設され、上部ガイド板７と下部ガイド板８とのそれぞれの先端７ａ，８ａがペーパー引出し口１０を形成し、先端７ａ，８ａに向かうにつれて下り勾配となっているガイド部６と、ガイド部６と連続して一体に形成され、表面にペーパー引出し口１０を有し、裏面にホルダー部３が取り付けられる前面板１１と、で構成されるペーパーホルダー１であって、上部ガイド板７及び又は下部ガイド板８の先端縁７ａ，８ａに引出し方向Ｙに沿って指先が挿入されるような長い略切欠き凹溝状の引出し用開口部１４が設けられている。【選択図】    図２
2005185490.tif 000002
【特許請求の範囲】
【請求項１】
ロール状に巻回されたロールペーパーを回転自在に保持しているホルダー部と、
前記ロールペーパーの幅よりやや広い幅の上部ガイド板と下部ガイド板とが互いの面を向かい合わせて上下に並んで配置されるとともに所定間隔あけて配設され、該上部ガイド板と下部ガイド板とのそれぞれの先端が前記ロールペーパーの端部となる切り口を通過させるペーパー引出し口を形成し、且つ該ペーパー引出し口となる先端に向かうにつれて下り勾配となっているガイド部と、
前記ガイド部と連続して一体に形成され、表面に前記ペーパー引出し口を有し、裏面に前記ホルダー部が取り付けられる前面板と、で構成されるペーパーホルダーであって、
前記ガイド部の前記上部ガイド板及び又は前記下部ガイド板の先端縁に前記ロールペーパーの引出し方向に沿って指先が挿入されるような長い略切欠き凹溝状の引出し用開口部が設けられていることを特徴とするペーパーホルダー。
【請求項２】
前記ガイド部の前記上部ガイド板の先端縁から前記引出し方向に沿って指先が挿入されるような長い略切欠き凹溝状に形成された前記引出し用開口部が、複数並列して設けられていることを特徴とする請求項１に記載のペーパーホルダー。
【請求項３】
ロール状に巻回されたロールペーパーを回転自在に保持しているホルダー部と、
前記ロールペーパーの幅よりやや広い幅の上部ガイド板と下部ガイド板とが互いの面を向かい合わせて上下に並んで配置されるとともに所定間隔あけて配設され、該上部ガイド板と下部ガイド板とのそれぞれの先端が前記ロールペーパーの端部となる切り口を通過させるペーパー引出し口を形成し、且つ該ペーパー引出し口となる先端に向かうにつれて下り勾配となっているガイド部と、
前記ガイド部と連続して一体に形成され、表面に前記ペーパー引出し口を有し、裏面に前記ホルダー部が取り付けられる前面板と、で構成されるペーパーホルダーであって、
前記ガイド部の前記上部ガイド板に前記ロールペーパーの引出し方向に長くなり、且つ該引出し方向に沿って指先が挿入されるような略楕円孔状の引出し用開口部が設けられていることを特徴とするペーパーホルダー。
【請求項４】
前記ガイド部の前記上部ガイド板に設けられる前記引出し用開口部が、前記上部ガイド板の幅方向に複数並列して設けられていることを特徴とする請求項３に記載のペーパーホルダー。
【請求項５】
前記ガイド部の前記下部ガイド板が、先端側と反対方向となる奥側へ延出していることを特徴とする請求項１乃至４のいずれか１つに記載のペーパーホルダー。
【請求項６】
請求項１乃至５のいずれか１つに記載のペーパーホルダーを用い、該ペーパーホルダーが密閉ケースの前面側に設けられ、前記ロールペーパーが該ケースの前面側にあるペーパー引出し口から引出し自在となり、且つ該ロールペーパーの本体を取り出し不能とし、前記ケースの後面側から前記ロールペーパーの本体を取り出し可能としていることを特徴とするペーパーホルダー装置。
【発明の詳細な説明】
【技術分野】
【０００１】
本発明は、ロールペーパーを保持するペーパーホルダーに係り、例えば、密閉ケースの内部に主要部が収納されてユニット化された手洗い装置などに設けられるペーパーホルダー及びペーパーホルダー装置に関する。
【背景技術】
【０００２】
一般に、トイレなどに設置されるペーパーホルダーは、図５に示すように、ロール巻きされたロールペーパー１０１を回転自在に支持しているホルダー体１０２の上部にロールペーパー１０１の上半部を覆う断面略弧状のカバー１０３の後端部１０３ａを回動自在に枢支した構成となっている。このようなペーパーホルダー１００はトイレ室内の壁面に突出して設置される。
【０００３】
また、図６に示すように、ケース２０１の内部に図示しない手洗い器や配水管などの主要部が収納されているユニット型の手洗い装置２００などに設けられるペーパーホルダーは、手洗い器や配水管などと同様にケース２０１の内部に設けられる。
【０００４】
従来、ユニット型の手洗い装置２００に備えられるペーパーホルダーのような密閉ケース２０１の内部に設けられるペーパーホルダーとしては、使用者が操作を行う側となるケース２０１の前面板２０１ａにペーパー引出し口２０３が開口形成され、ケース２０１の内部に設けられたペーパーホルダー２０２にロールペーパー２０４が回転自在に支持され、ロールペーパー２０４の端部となる切り口２０４ａをペーパー引出し口２０３まで導いてこのペーパー引出し口２０３から切り口２０４ａを僅かに露出させて設置していた。使用者は、ペーパー引出し口２０３から露出しているロールペーパー２０４の切り口２０４ａの近傍を指で摘んで手前側に引き出す。
【発明の開示】
【発明が解決しようとする課題】
【０００５】
しかしながら、上述した従来のペーパーホルダーのうち、図５に示すようなペーパーホルダー１００では、トイレ室内の壁面に突出して設置されるためユニット型の手洗い装置に設けることができなかった。また、図６に示すようなペーパーホルダー２００では、使用者がペーパー引出し口２０３から僅かに露出しているロールペーパー２０４の切り口２０４ａを指で摘んで引き出さなければならないため、ペーパー２０４を摘み難く、そのため、ロールペーパー２０４を引き出し難いという問題があった。そして、ロールペーパー２０４を切り取った反動などで切り口２０４ａがペーパー引出し口２０３の奥へ入り込んでしまいロールペーパー２０４を引き出せないことがあった。
【０００６】
そこで本発明は、上記問題点を解消するために、密閉ケースの内部に主要部が収納されてユニット化された手洗い装置などに設けることができ、ロールペーパーを容易に、且つ確実に引き出すことが可能なペーパーホルダーを提供することを目的としている。
【課題を解決するための手段】
【０００７】
次に、上記の課題を解決するための手段を、実施の形態に対応する図面を参照して説明する。
本発明の請求項１に記載のペーパーホルダーは、ロール状に巻回されたロールペーパー２を回転自在に保持しているホルダー部３と、
前記ロールペーパー２の幅よりやや広い幅の上部ガイド板７と下部ガイド板８とが互いの面を向かい合わせて上下に並んで配置されるとともに所定間隔あけて配設され、該上部ガイド板７と下部ガイド板８とのそれぞれの先端７ａ，８ａが前記ロールペーパー２の端部となる切り口２ａを通過させるペーパー引出し口１０を形成し、且つ該ペーパー引出し口１０となる先端７ａ，８ａに向かうにつれて下り勾配となっているガイド部６と、
前記ガイド部６と連続して一体に形成され、表面に前記ペーパー引出し口１０を有し、裏面に前記ホルダー部３が取り付けられる前面板１１と、で構成されるペーパーホルダー１であって、
前記ガイド部６の前記上部ガイド板７及び又は前記下部ガイド板８の先端縁７ａ，８ａに前記ロールペーパー２の引出し方向Ｙに沿って指先が挿入されるような長い略切欠き凹溝状の引出し用開口部１４が設けられていることを特徴とする。
【０００８】
請求項２に記載のペーパーホルダーは、前記ガイド部６の前記上部ガイド板７の先端縁７ａから前記引出し方向Ｙに沿って指先が挿入されるような長い略切欠き凹溝状に形成された前記引出し用開口部１４が、複数並列して設けられていることを特徴とする。
【０００９】
請求項３に記載のペーパーホルダーは、ロール状に巻回されたロールペーパー２を回転自在に保持しているホルダー部３と、
前記ロールペーパー２の幅よりやや広い幅の上部ガイド板７と下部ガイド板８とが互いの面を向かい合わせて上下に並んで配置されるとともに所定間隔あけて配設され、該上部ガイド板７と下部ガイド板８とのそれぞれの先端７ａ，８ａが前記ロールペーパー２の端部となる切り口２ａを通過させるペーパー引出し口１０を形成し、且つ該ペーパー引出し口１０となる先端７ａ，８ａに向かうにつれて下り勾配となっているガイド部６と、
前記ガイド部６と連続して一体に形成され、表面に前記ペーパー引出し口１０を有し、裏面に前記ホルダー部３が取り付けられる前面板１１と、で構成されるペーパーホルダー１であって、
前記ガイド部６の前記上部ガイド板７に前記ロールペーパー２の引出し方向Ｙに長くなり、且つ該引出し方向Ｙに沿って指先が挿入されるような略楕円孔状の引出し用開口部１４が設けられていることを特徴とする。
【００１０】
請求項４に記載のペーパーホルダーは、前記ガイド部６の前記上部ガイド板７に設けられる前記引出し用開口部１４が、前記上部ガイド板７の幅方向Ｘに複数並列して設けられていることを特徴とする。
【００１１】
請求項５に記載のペーパーホルダーは、前記ガイド部６の前記下部ガイド板８が、先端８ａ側と反対方向となる奥側へ延出していることを特徴とする。
【００１２】
請求項１乃至５のいずれか１つに記載のペーパーホルダー１を用い、該ペーパーホルダー１が密閉ケース３１の前面３２ａ側に設けられ、前記ロールペーパー２が該ケース３１の前面３２ａ側にあるペーパー引出し口１０から引出し自在となり、且つ該ロールペーパー２の本体を取り出し不能とし、前記ケース３１の後面３２ｂ側から前記ロールペーパー２の本体を取り出し可能としていることを特徴とする。
【００１３】
このような構成によれば、密閉ケース３１の内部に主要部が収納されているユニット型の手洗い装置３０などにペーパーホルダー１を設けることが可能となる。また、ガイド部６の上部ガイド板７及び又は下部ガイド板８の先端７ａ，８ａ近傍に引出し用開口部１４が設けられることによって、この引出し用開口部１４から指先を入れてスライドさせるという操作でロールペーパー２を引き出すことが可能となる。さらに、ペーパー引出し口１０の内部に入り込んだロールペーパー２の切り口２ａを、引出し用開口部１４から指先を入れて先端７ａ，８ａ側へと送ることでペーパー引出し口１０の外方に引き出すことが可能となる。
【発明の効果】
【００１４】
本発明による請求項１に記載のペーパーホルダーによれば、ガイド部を構成する上部ガイド板に引出し用開口部が設けられることによって、引出し用開口部から指先を入れてスライドさせるという簡単な操作でロールペーパーを引き出すことが可能となる。つまり、容易にロールペーパーを引き出すことができる。同様に、下部ガイド板に引出し用開口部が設けられることによっても、容易にロールペーパーを引き出すことができる。さらに、ペーパー引出し口の奥に入り込んだロールペーパーの切り口を、引出し用開口部から指先を入れて先端側へと送ることでペーパー引出し口の外方に引き出すことが可能となる。つまり、ロールペーパーを確実に引き出すことができる。
【００１５】
請求項２に記載のペーパーホルダーによれば、引出し用開口部が複数設けられることで、各引出し用開口部にそれぞれ指を入れてロールペーパーを引き出すことができる。したがって、ロールペーパーを更に確実に引き出すことができる。
【００１６】
請求項３に記載のペーパホルダーによれば、上記した請求項１に記載のペーパーホルダーと同様に、ガイド部を構成する上部ガイド板に引出し用開口部が設けられることによって、引出し用開口部から指先を入れてスライドさせるという簡単な操作でロールペーパーを引き出すことが可能となり、容易にロールペーパーを引き出すことができるという効果が得られる。また、同じく、ペーパー引出し口の奥に入り込んだロールペーパーの切り口を、引出し用開口部から指先を入れて先端側へと送ることでペーパー引出し口の外方に引き出すことが可能となり、ロールペーパーを確実に引き出すことができるという効果が得られる。
さらに、上述した効果に加えて、ロールペーパーを引き出して切り取る際に、上部ガイド板の先端縁の形状が上部ガイド板の幅方向に直線となりロールペーパーをシャープに切り取ることが可能となる。これにより、ロールペーパーを容易に、且つきれいに切り取ることが可能となる。
【００１７】
請求項４に記載のペーパーホルダーによれば、上記した請求項２に記載のペーパーホルダーと同様に、各引出し用開口部にそれぞれ指を入れてロールペーパーを引き出すことができ、ロールペーパーを更に確実に引き出すことができるという効果が得られる。
【００１８】
請求項５に記載のペーパーホルダーによれば、下部ガイド板が奥側へ延出していることによって、ロールペーパーの切り口を下部ガイド板上に沿わせてペーパー引出し口まで導くことが可能となる。これにより、ロールペーパーを確実にペーパー引出し口まで引き回すことが可能となる。したがって、ロールペーパーがペーパー引出し口の奥に入り込むことを抑えることができる。
【００１９】
請求項６に記載のペーパーホルダー装置によれば、密閉ケースの内部に主要部が収納されているユニット型の装置などにペーパーホルダーを設けることが可能となる。また、使用者が操作を行うケースの前面側からロールペーパーの本体を取り出し不能としたことでロールペーパーの盗難などを防止できる。さらに、後面側からロールペーパーの本体を取り出し可能としたことでロールペーパーの補充をケースの後面側から行うことができる。したがって、ロールペーパーの管理などが容易となる。
【発明を実施するための最良の形態】
【００２０】
以下、本発明の実施の形態を図面を参照して具体的に説明する。
図１は本発明によるペーパーホルダーの一実施の形態のユニット型の手洗い装置への設置状態を示す概略斜視図、図２は本発明によるペーパーホルダーの一実施の形態を示す斜視図、図３は同側断面図である。
【００２１】
この実施の形態のペーパーホルダーは、密閉されたケース３１の内部に設けられるペーパーホルダーである。本実施の形態では、図１に示すように、ケース３１の内部に、図示しない手洗い器や配水管などの主要部が収納されているユニット型の手洗い装置３０に設けられる。なお、この手洗い装置３０は、トイレの壁内に埋め込んで設置される。そして、ケース３１には、前面側となる手洗い口３３や操作ボタン３４などが設けられた固定板による室内面３２ａと、後面側となる手洗い装置３０を設置した状態で室外に表出し開閉可能に形成された開閉板による室外面３２ｂとが形成される。
【００２２】
図２及び図３に示すように、この実施の形態のペーパーホルダー１は、ホルダー部３，ガイド部６，前面板１１とで大略構成されている。
【００２３】
ホルダー部３は、ロール状に巻回されたロールペーパー２の中央孔部２ｂに挿通された支持軸４の両端が対向する一対の保持部５，５に保持されることでロールペーパー２を回転自在に保持している。保持部５，５は、ケース３１の室内面３２ａに表出する後述する前面板１１の裏面に固設される。したがって、ロールペーパー２は、端部となる切り口２ａをケース３１の室外面３２ｂ側に向けてホルダー部３に設置される。
【００２４】
ガイド部６は、ロールペーパー２の幅よりやや広幅の板である上部ガイド板７と下部ガイド板８とからなる。両ガイド板７，８は、互いの面を向かい合わせて上下に並んで配置されている。また、上部ガイド板７と下部ガイド板８との向かい合った面の間は所定間隔あけられている。この間隔はロールペーパー２の切り口２ａが挿通されるのに充分な間隔であり、且つ人の指が奥まで入らない程度の間隔となっている。さらに、上部ガイド板７と下部ガイド板８とは、互いにケース３１の室内面３２ａ側に向かうにつれて下り勾配となっており、両ガイド板７，８の室内面３２ａ側の先端７ａ，８ａがペーパー引出し口１０を形成している。
【００２５】
図２に示すように、上部ガイド板７には、先端縁７ａからロールペーパーの引出し方向Ｙに沿って指先が挿入可能な長い略半楕円形の略切欠き凹溝状の引出し用開口部１４が形成されている。本実施の形態では、複数（図では２つ）の引出し用開口部１４，１４が上部ガイド板７の幅方向Ｘに並んで形成されている。
【００２６】
図２及び図３に示すように、下部ガイド板８は、ケース３１の室外面３２ａ側（奥側）へ向かって延出している。また、下部ガイド板８の幅方向Ｘの端部となる両側端部には、側板９，９が略垂直方向を向けて屈曲形成されている。
【００２７】
図２に示すように、前述した前面板１１は略矩形の板である。前面板１１の周縁には、表面に対してケース３１の室外面３２ｂ側（奥側）に向かって略直角に屈曲された周縁板１３が形成されている。前面板１１の表面には、長手方向が上記したガイド部６の上部ガイド板７及び下部ガイド板８の幅と略同等の長さの略矩形の凹部１２が形成されている。さらに、前面板１１の表面におけるこの凹部１２の下方には、上記したペーパー引出し口１０が表出している。なお、前述したように、前面板１１の裏面にはホルダー部３が固設される。
【００２８】
図３に示すように、凹部１２を形成している面のうち下方に相当する面は、上部ガイド板７によって構成されている。凹部１２と上部ガイド板７とは連続して一体となっている。つまり、前面板１１と上部ガイド板７とは一体に形成されている。また、上部ガイド板７とともにペーパー引出し口１０を形成している下部ガイド板８においても前面板１１から連続して一体形成されている。
【００２９】
以上説明した本実施の形態のペーパーホルダー１は、予めケース３１に設けられているペーパーホルダー用の開口部に嵌め込んで、図３に示すように、ケース３１の取付け代３５に前面板１１の周縁板１３が溶着などによって固着されることでケース３１に取り付けられ、ペーパーホルダー装置としてユニット型の手洗い装置３０などに設けられる。
【００３０】
また、ペーパーホルダー１にロールペーパー２を設置させるときは、ケース３１の室外面３２ｂなどに設けられた図示しない開閉可能な扉状の開閉板などを開けて、ロールペーパー２を室外面３２ｂ側から、通常トイレなどに設置されているロールペーパー用のペーパーホルダーに設置する場合と同様の設置方法でペーパーホルダー１に設置する。そして、室外面３２ｂ側を向いている切り口２ａをガイド部６の下部ガイド板８上に沿わせてペーパー引出し口１０まで引き回してきて、ペーパー引出し口１０から室内面３２ａに露出させる。このようにしてペーパーホルダー１へのロールペーパー２の設置が完了する。
【００３１】
ケース３１の内部に設置されたロールペーパー２は、固定板よりなる室内面３２ａ側からペーパーを引き出すことはできても、ロールペーパー２の本体をそっくり取り出すことはできない。また、ペーパーホルダー１へのロールペーパー２の補充は、ケース３１の室外面３２ｂ（後面）側に設けられている図示しない開閉板を開けて室外面３２ｂ側から行う。
【００３２】
なお、本実施の形態では、前面板１１を別部材としてケース３１の室内面３２ａに取り付ける構成として説明したが、前面板１１がケース３１と一体に形成されていてもよい。つまり、前面板１１がケース３１の室内面３２ａの一部となっている構成としてもよい。
【００３３】
この実施の形態によれば、密閉ケース３１の内部に主要部が収納されているユニット型の装置３０などにペーパーホルダーを設けることが可能となる。また、上部ガイド板７に引出し用開口部１４が設けられることによって、引出し用開口部１４から指先を入れてスライドさせるという簡単な操作でロールペーパー２を引き出すことが可能となる。さらに、ペーパー引出し口１０の内部に入り込んだロールペーパー２の切り口２ａを、引出し用開口部１４から指先を入れて先端７ａ，８ａ側へと送ることで、ペーパー引出し口１０からケース３１の室内側３２ａへと引き出すことが可能となる。これにより、ペーパー引出し口１０の奥に入り込んだロールペーパー２を引き出すことが可能となる。
【００３４】
また、引出し用開口部１４が略切欠き凹溝状に形成されていることによって、ペーパー引出し口１０の奥に入り込んだロールペーパー２の切り口２ａを引き出すために引出し用開口部１４から指先を入れてスライドさせる際、指が引出し用開口部の縁などに当たることなくスムーズに先端７ａ，８ａ側まで送ることが可能となる。
【００３５】
さらに、引出し用開口部１４が複数（図では２つ）設けられることで、各引出し用開口部１４にそれぞれ指を挿入できることから、ロールペーパー２を更に確実に引き出すことが可能となる。
【００３６】
また、下部ガイド板８がケース３１の室外面３２ｂ（奥側）へ延出していることによって、ロールペーパー２の切り口２ａを下部ガイド板８上に沿わせてペーパー引出し口１０まで導くことが可能となる。これにより、ロールペーパー２を確実にペーパー引出し口１０まで引き回すことが可能となる。
【００３７】
さらに、ケース３１の室内面３２ａ側からロールペーパー２の本体を取り出すことができない構成としたことで、ロールペーパー２の盗難などを防止することが可能となる。そして、室外面３２ｂ側からロールペーパー２の本体を取り出せる構成としたことで、ロールペーパー２の補充を室外から行うことが可能となる。
【００３８】
なお、上述した実施の形態のペーパーホルダーによれば、上部ガイド板７に設けられる引出し用開口部１４は、先端縁７ａから引出し方向Ｙに沿って略切欠き凹溝状に形成されているが、図４に示すように、上部ガイド板に引出し方向Ｙに長く、且つ引出し方向Ｙに沿って指先を挿入可能な略楕円孔状に形成され、幅方向Ｘに複数（図では２つ）並列して設けられる構成としてもよい。これにより、上述した実施の形態の効果に加えて、ロールペーパー２を引き出して切り取る際に、上部ガイド板７の先端縁７ａの形状が上部ガイド板の幅方向Ｘに直線となりロールペーパー２をシャープに切り取ることが可能となる。
【００３９】
また、上述した実施の形態のペーパーホルダーによれば、ホルダー部３はロールペーパー２を回転自在に保持する必要最低限の構成となっているが、このホルダー部３に、通常トイレなどに設置されるロールペーパー用のペーパーホルダーに広く用いられているような、設置されたロールペーパーの略上半部を覆う断面略弧状の上部カバーが設けられている構成としてもよい。これにより、ロールペーパー２の切り口２ａを確実にペーパー引出し口１０へと引き回すことが可能となる。
【図面の簡単な説明】
【００４０】
【図１】本発明のペーパーホルダーの一実施の形態のユニット型の手洗い装置への設置状態を示す概略斜視図である。
【図２】本発明のペーパーホルダーの一実施の形態を示す斜視図である。
【図３】本発明のペーパーホルダーの一実施の形態を示す側断面図である。
【図４】本発明のペーパーホルダーの他の実施の形態を示す斜視図である。
【図５】従来のペーパーホルダーを示す斜視図である。
【図６】従来のペーパーホルダーを示す概略斜視図である。
【符号の説明】
【００４１】
１…ペーパーホルダー
２…ロールペーパー
２ａ…切り口
３…ホルダー部
６…ガイド部
７…上部ガイド板
７ａ…上部ガイド板の先端（先端縁）
８…下部ガイド板
８ａ…下部ガイド板の先端（先端縁）
１０…ペーパー引出し口
１１…前面板
１４…引出し用開口部
３１…ケース
３２ａ…前面となる室内面
３２ｂ…後面となる室外面
Ｙ…ロールペーパーの引出し方向
Ｘ…上部ガイド板（下部ガイド板）の幅方向
【図１】
2005185490.tif 000003
【図２】
2005185490.tif 000004
【図３】
2005185490.tif 000005
【図４】
2005185490.tif 000006
【図５】
2005185490.tif 000007
【図６】
2005185490.tif 000008